(57)【特許請求の範囲】
【請求項１】
高速ダウンリンクパケットアクセスチャネルおよび強化アップリンク専用チャネルに対するサポートを提供する通信システムの移動無線通信装置であって、
シグナリング接続の確立の際に用いられる情報をネットワークコントローラへシグナリングするシグナリング手段を備え、
前記シグナリング接続の確立の際に用いられる前記情報は、前記移動無線通信装置による、高速ダウンリンクパケットアクセスチャネルおよび強化アップリンク専用チャネルの少なくとも一方に対するサポートを示すサポート情報を有し、これにより、前記ネットワークコントローラは、対応するシグナリング接続の確立の際に前記シグナリング手段によってシグナルされる前記情報を使用可能であり、
前記移動無線通信装置は、前記対応するシグナリング接続が確立されたら、前記対応するシグナリング接続を利用して通信可能となる、
移動無線通信装置。
【請求項２】
請求項１に記載の装置であって、
高速ダウンリンクパケットアクセスチャネルおよび強化アップリンク専用チャネルの少なくとも一方に対するサポートを示す前記サポート情報は、高速ダウンリンクパケットアクセスチャネルおよび強化アップリンク専用チャネルの前記少なくとも一方が回線交換シグナリング用であるという指示を含む、
装置。
【請求項３】
請求項１又は２に記載の装置であって、
前記移動無線通信装置は、高速ダウンリンクパケットアクセスチャネルおよび強化アップリンク専用チャネルの両方をサポート可能であり、
前記サポート情報は、高速ダウンリンクパケットアクセスチャネルおよび強化アップリンク専用チャネルの両方がサポートされていることを示す、
装置。
【請求項４】
高速ダウンリンクパケットアクセスチャネルおよび強化アップリンク専用チャネルに対するサポートを提供する通信システムのネットワークコントローラ装置であって、
シグナリング接続の確立の際に用いられる情報を移動無線通信装置から受信する受信手段を備え、
前記シグナリング接続の確立の際に用いられる前記情報は、前記移動無線通信装置による、高速ダウンリンクパケットアクセスチャネルおよび強化アップリンク専用チャネルの少なくとも一方に対するサポートを示すサポート情報を有しており、
前記ネットワークコントローラ装置は、対応するシグナリング接続の確立において、前記受信手段によって受信された前記情報を使用可能である、
ネットワークコントローラ装置。
【請求項５】
請求項４に記載のネットワークコントローラ装置であって、
高速ダウンリンクパケットアクセスチャネルおよび強化アップリンク専用チャネルの少なくとも一方に対するサポートを示す前記サポート情報は、高速ダウンリンクパケットアクセスチャネルおよび強化アップリンク専用チャネルの前記少なくとも一方が回線交換シグナリング用であるという指示を含み、前記ネットワークコントローラ装置は、前記移動無線通信装置との回線交換シグナリングを用いた以降の通信のための無線ベアラの確立を開始可能である、
ネットワーク装置。
【請求項６】
請求項４又は５に記載のネットワークコントローラ装置であって、
前記受信手段は、前記移動無線通信装置による高速ダウンリンクパケットアクセスチャネルおよび強化アップリンク専用チャネルの両方に対するサポートを示すサポート情報を有し、シグナリング接続の確立の際に用いられる情報を移動無線通信装置から受信可能であり、
従って、前記ネットワークコントローラ装置は、前記対応するシグナリング接続の確立の際に、前記受信手段によって受信した前記情報を使用可能である、
ネットワークコントローラ装置。
【請求項７】
高速ダウンリンクパケットアクセスチャネルおよび強化アップリンク専用チャネルに対するサポートを提供する通信システムにおける移動無線通信装置によって実行される方法であって、
シグナリング接続の確立の際に用いられる情報をネットワークコントローラにシグナリングし、前記シグナリング接続の確立の際に用いられる前記情報は、前記移動無線通信装置による、高速ダウンリンクパケットアクセスチャネルおよび強化アップリンク専用チャネルの少なくとも一方に対するサポートを示すサポート情報を有し、それによって、前記ネットワークコントローラは、対応するシグナリング接続の確立の際に前記シグナルされた情報を使用可能であり、前記対応するシグナリング接続が確立された際に、前記対応するシグナリング接続を用いて通信する、
方法。
【請求項８】
請求項７に記載の方法であって、
高速ダウンリンクパケットアクセスチャネルおよび強化アップリンク専用チャネルの少なくとも一方に対するサポートを示す前記サポート情報は、高速ダウンリンクパケットアクセスチャネルおよび強化アップリンク専用チャネルの前記少なくとも一方が回線交換シグナリング用であるという指示を含む、
方法。
【請求項９】
請求項７又は８に記載の方法であって、
前記移動無線通信装置は、高速ダウンリンクパケットアクセスチャネルおよび強化アップリンク専用チャネルの両方をサポートし、
前記サポート情報は、高速ダウンリンクパケットアクセスチャネルおよび強化アップリンク専用チャネルの両方がサポートされていることを示す、
装置。
【請求項１０】
高速ダウンリンクパケットアクセスチャネルおよび強化アップリンク専用チャネルに対するサポートを提供する通信システムにおけるネットワークコントローラ装置によって実行される方法であって、
シグナリング接続の確立の際に用いられる情報を移動無線通信装置から受信し、シグナリング接続の確立の際に用いられる前記情報は、前記移動無線通信装置による、高速ダウンリンクパケットアクセスチャネルおよび強化アップリンク専用チャネルの少なくとも一方に対するサポートを示すサポート情報を有し、対応するシグナリング接続の確立の際に前記受信した情報を使用する、
方法。
【請求項１１】
請求項１０に記載の方法であって、高速ダウンリンクパケットアクセスチャネルおよび強化アップリンク専用チャネルの少なくとも一方に対するサポートを示す前記サポート情報は、高速ダウンリンクパケットアクセスチャネルおよび強化アップリンク専用チャネルの前記少なくとも一方が回線交換シグナリング用であるという指示を含み、
前記方法は、回線交換シグナリングを用いた前記移動無線通信装置との以降の通信のための無線ベアラの確立の開始を含む、
方法。
【請求項１２】
請求項１０又は１１に記載の方法であって、シグナリング接続の確立の際に用いられる前記受信した情報は、
前記移動無線通信装置による、高速ダウンリンクパケットアクセスチャネルおよび強化アップリンク専用チャネルの両方に対するサポートを示すサポート情報を有する、
方法。
【発明の詳細な説明】
【技術分野】
【０００１】
本発明は、移動無線通信ネットワーク装置を使用した移動無線通信装置ならびに関連方法およびシステムに関する。
【背景技術】
【０００２】
移動無線通信ネットワークは、このネットワークに接続された移動無線通信装置と無線ネットワークコントローラ等のネットワーク構成要素間の交換のために、各種形式のシグナリングを使用する。現時点でのいわゆる第三世代ネットワークに関し、第三世代共同プロジェクト（Third Generation Partnership Project （３ＧＰＰ））は現在リリース中のシリーズでもって、ネットワーク操作者および装置業者が遵守しなくてはならない各種基準を定めている。
【０００３】
移動無線通信装置ネットワーク内では、ユーザ装置ならびにネットワーク動作およびシグナリングの現行方法は不利益な制限をもたらしているにもかかわらず、回線交換（Circuit  Switch （ＣＳ））シグナリングに関する要求がしばしば発生する。
【０００４】
たとえば、３ＧＰＰによるリリースＲ９９からは、このリリースにしたがって使用される専用物理チャネル（Dedicated Physical Channel （ＤＰＣＨ））に関して問題が生じる。たとえば、伝送速度３．４ｋｂｐｓでは、ＤＰＣＨは不利なことに低速で、これによって回線交換の立ち上げ時間に不利な遅延をもたらすもことがわかった。さらに、回線交換シグナリング容量の限界も見られた。
【０００５】
また、無線ネットワークコントローラ（Radio Network Controller （ＲＮＣ））処理負荷に関して、３ＧＰＰ仕様のリリースＲｅｌ−６からわかるように、強化アップリンク専用チャネル（Enriched Uplink Dedicated Channel （ＥＤＣＨ））の使用を通して、さらなる制限がおこり得る。Ｒｅｌ−６ によれば、ＲＮＣ はシグナリング速度を上げるためＲ９９  ＤＰＣＨさらにＥＤＣＨも設置せねばならない。もちろん、そのようなＲ９９  ＤＰＣＨとＥＤＣＨとの設置をするには、不利なことに無線リソース管理（Radio Resource  Management （ＲＲＭ））の要求が二倍になる。
【０００６】
また、Ｆ−ＤＰＣＨは、パケット交換領域内での符号リソースの要求を制限する試みとしてＲｅｌ−６に導入されたが、回線交換領域に関してＤＰＣＨの使用に関わる上記問題は対処されていない。
【０００７】
上記問題は不利なことに性能上の制限および非効率をもたらす。
【発明の概要】
【発明が解決しようとする課題】
【０００８】
本発明は、このような装置、方法およびシステムに比べてより有利な移動無線通信装置ならびに関連動作方法およびシステム、ならびに関連ネットワーク装置を提供することを目指す。
【課題を解決するための手段】
【０００９】
本発明の第一観点によれば、高速ダウンリンクパケットアクセスチャネルおよび強化アップリンク専用チャネルの少なくとも一方をサポートするように設けられた移動無線通信装置であって、上記チャネルの少なくとも一方のサポートをネットワークコントローラに対してシグナリングする手段と、回線交換接続が要求されたことを決定するための手段とを含み、上記装置は回線交換接続が要求されると、上記少なくとも一方のチャネルのサポートをシグナリングするように設けられ、これによって、移動無線通信装置ネットワークの無線ネットワークコントローラ装置は上記少なくとも一方のチャネルを回線交換シグナリング交換のために割当てることができるようになる移動無線通信装置が提供される。
【００１０】
上記回線交換接続が要求されたことを決定するための手段は、そのような回線交換接続が要求されたことを上記移動無線通信装置からシグナリングするための手段を含むことが好ましい。
【００１１】
本発明の別の観点によれば、移動無線通信ネットワークのためのネットワークコントロール装置であって高速ダウンリンクパケットアクセスチャネルおよび強化アップリンク専用チャネルの少なくとも一方をサポートすることを示すシグナリングを移動無線通信装置から受信するための手段を含み、上記ネットワークコントローラ装置は高速ダウンリンクパケットアクセスチャネルあるいはアップリンク専用チャネルのそれぞれを回線交換シグナリング交換のために上記移動無線通信装置に割当てるように設けられるネットワークコントロール装置が提供される。
【００１２】
上記ネットワークコントローラ装置は移動無線通信装置との回線交換シグナリング交換のために回線交換ベアラをその後割当てるように設けられ得る利点がある。
【００１３】
特に、上記ネットワークコントローラは実行中の回線交換シグナリング交換の以降の処理のために従来の専用チャネルを割当てるように設けられる。
【００１４】
またさらに、上記無線ネットワークコントローラは、上記特定の回線交換シグナリングに関連するセル構造を使用するためにセル内の要求を修正するように設けられ得る。
【００１５】
本発明のまた別の観点によれば、移動無線通信ネットワーク内で移動無線通信装置とネットワークコントローラとの間の回線交換シグナリング方法であって、回線交換シグナリングを提供するために高速ダウンリンクパケットアクセスチャネルおよび強化アップリンク専用チャネルの一方を使用するステップを含む回線交換シグナリング方法が提供される。
【００１６】
特に、上記チャネルのどちらか一方は回線交換シグナリングの少なくとも初期段階のために使用され得る。
【００１７】
このように、上記方法は、上記回線交換シグナリングの初期段階に続いて、実行中の回線交換シグナリング交換のために従来の回線交換接続を使用するステップを含み得る。
【００１８】
本方法は、また、上記移動無線通信装置が上記チャネルの少なくとも一方に対するサポートを上記ネットワーク内のネットワークコントローラへシグナリングするステップと、上記ネットワーク内のネットワークコントローラにおいて、回線交換シグナリングのために上記チャネルの少なくとも一方を割当てることによって上記チャネルに対するサポートのシグナリングに応答するステップとをさらに含み得る。
【００１９】
またさらに、上記方法は、無線ネットワークコントローラで、上記必要とされる回線交換シグナリング用にセルを構成するために、これらのセルに対する測定要求を修正するステップを含み得る。
【００２０】
本発明のまた別の観点によれば、上記に定義された移動無線通信装置および上記に定義されたネットワークコントローラ装置の少なくとも一方を含む移動無線通信システムが提供される。
【００２１】
以下のさらなる説明から理解されるように、本発明は、初期回線交換シグナリング交換のために高速ダウンリンクパケットアクセスおよび／または強化アップリンク専用チャネルベアラの選択を許すことによって、上記の速度上の制限および非効率を有利に低減できる利点がある。
【００２２】
上記の従来技術を改善する本発明による作用を向上させるために、移動無線通信装置はできるだけ早く高速ダウンリンクパケットアクセスチャネルおよび／または強化アップリンク専用チャネルへのサポートを指示し、これによって無線ネットワークコントローラがそのようなチャネルを、適宜、回線交換シグナリングに割当てるようにする利点がある。
【００２３】
本発明は、高速ダウンリンクパケットアクセスチャネルおよび／または強化アップリンク専用チャネルのシグナリングサポート特性を利用するために、そして、回線交換シグナリングに関連して使用するために有利にアレンジされている。
【図面の簡単な説明】
【００２４】
【図１】本発明の実施形態における移動無線通信ネットワーク内の移動無線通信システムの概略図である。
【発明を実施するための形態】
【００２５】
以下、本発明を、無線通信装置システムおよび関連する操作の構成要素を示す添付図面を参照して本発明の一実施形態にしたがってさらに説明する。
【００２６】
図１では、移動無線通信ネットワークの一部である移動無線通信システム１０が示され、該システムは移動無線通信装置の送受器の形態であるユーザ装置１２と、ＵＭＴＳ地上無線アクセスネットワーク（Terrestrial Radio Access Network （ＵＴＲＡＮ））１４と、信号交換用シグナリングを確立するための本発明の一実施例にしたがって発生するシグナリング１６、１８とを使用する。
【００２７】
初めに、回線交換シグナリングを確立するための接続管理サービス要求をユーザの送受器１２から送出する必要があると、これは、当然ながら、送受器１２で受信したページング信号への応答によって、または、通信セッションの始動を探索している送受器１２によって起こり得る。送受器１２は、ＨＳＤＰＡおよび／またはＥＤＣＨチャネルのサポートを指示すように設けられている。これは、ＨＳＤＰＡチャネル回路１２１およびＥＤＣＨチャネル回路１２２を含む。このようなシグナリングは矢印１６で示され、ＵＴＲＡＮ１４のＲＮＣ１１へ送られる。送受器１２はさらに、回線交換シグナリングセッション制御回路１２３も必要なことを示すために設けられている。
【００２８】
シグナリングセッション制御回路１２３はこれらのチャネルの少なくとも一方をサポートするために上記シグナリングをＲＮＣへ送り、また、必要とされるＨＳＤＰＡチャネル回路１２１または／およびＥＤＣＨチャネル回路１２２への回線交換接続を決定する。
【００２９】
送受器１２のシグナリングセッション制御回路１２３からのシグナリング１６を受信すると、ＵＴＲＡＮ１４内のＲＮＣ１１は直ちにその情報を使用してＨＳＤＰＡおよび／またはＥＤＣＨベアラを選択するように設けられていて、決定されたベアラは必要とされる回線交換シグナリング交換のサポートのために送受器１２に割当てられる。
【００３０】
したがって、送受器１２のシグナリングセッション制御回路１２３からネットワークへの回線交換シグナリングの初期段階は、ＳＤＰＡチャネル回路１２１およびＥＤＣＨチャネル回路１２２の一方で発生し、したがって、従来技術内で発生する速度上の制限および非効率を有利に低減できる。
【００３１】
回線交換シグナリング交換の初期段階における以降の動作中、および、従来の回線交換ベアラがこのシグナリング交換に割当てられるようにいったん位置づけされると、ＲＮＣ１１はこのような従来の専用制御チャネル（Dedicated Control Channel （ＤＣＣＨ））および他の専用チャネル（Dedicated channel （ＤＣＨ））を割当てるように設けられ、これによってこのチャネル上で実行中の回線交換シグナリング交換を継続できるようになる。
【００３２】
送受器１２でのＨＳＤＰＡチャネルおよびＥＤＣＨチャネルのサポートによって、ＨＳＤＰＡｃａｔ．５チャネルおよびＥＤＣＨチャネルでは、たとえば２Ｍｂｐｓの比較的高速度が有効であることがわかる。図示の実施例のさらなる観点としては、ＵＴＲＡＮ４０内のＲＮＣ１１は、要求される特定の回線交換サービスに関するセル構成に適応するための測定要求を修正するように設けられ得る。
【００３３】
したがって、本発明の概念によれば、移動無線通信装置と関連ネットワークとの間の回線交換シグナリングを行うためにＨＳＤＰＡおよびＥＤＣＨベアラを使用することによって、送受器からの回線交換シグナリングの少なくとも初期段階を有利にも操作することができる。
【図１】
0005278573.tif 000002